(57)【要約】【課題】小型かつ薄型の表示装置および電子機器を提供すること。【解決手段】透過型液晶表示装置１は、対向配置された第１の基板２２と第２の基板２３と液晶を含む液晶層２４とを備える液晶パネル２と、液晶パネル２を駆動するための２つのドライバＩＣ３１、３２とを有しており、第２の基板２３の液晶層２４と反対側から画像を視認し得るものである。２つのドライバＩＣ３１、３２は、いずれも第１の基板２２にＣＯＧ実装により設けられ、かつ、ドライバＩＣ３１が第１の基板２２の下面に配線パターン２６を介して直接設けられている。また、第１の基板２２の上面に設けられた配線パターン２５と、下面に設けられた配線パターン２６とは、第１の基板２２の縁部に沿って設けられた接続部材５を介して接続されており、配線パターン２６の接続部材５との接続部と反対側の端部には、入力用配線基板４の一端部が接続されている。【選択図】図３
2004177713.tif 000002
【特許請求の範囲】
【請求項１】
互いに対向して配置された第１の基板と第２の基板と、これらの間に位置し、電気光学物質を含む中間層とを備える表示パネルと、
該表示パネルを駆動するための駆動用集積回路とを有し、
前記第２の基板の前記中間層と反対側から画像を視認する表示装置であって、
前記駆動用集積回路が、前記第１の基板の前記中間層と反対側の面に配線パターンを介して直接設けられていることを特徴とする表示装置。
【請求項２】
互いに対向して配置された第１の基板と第２の基板と、これらの間に位置し、電気光学物質を含む中間層とを備える表示パネルと、
該表示パネルを駆動するための複数の駆動用集積回路とを有し、
前記第２の基板の前記中間層と反対側から画像を視認する表示装置であって、
前記駆動用集積回路は、いずれも前記第１の基板に設けられ、かつ、そのうちの少なくとも１つが、前記第１の基板の前記中間層と反対側の面に配線パターンを介して直接設けられていることを特徴とする表示装置。
【請求項３】
前記第１の基板は、平面視で前記第２の基板の外形より外側へ張り出した張出領域を有する請求項１または２に記載の表示装置。
【請求項４】
前記第１の基板は、平面視で前記第２の基板の外形より外側へ張り出した張出領域を有し、
前記第１の基板の前記中間層と同じ側の面に設けられた駆動用集積回路は、前記張出領域に設けられている請求項２に記載の表示装置。
【請求項５】
前記第１の基板の前記中間層と同じ側の面に設けられた駆動用集積回路と、前記第１の基板の前記中間層と反対側の面に設けられた駆動用集積回路とは、少なくとも一部が重なるようにして設けられている請求項２または４に記載の表示装置。
【請求項６】
前記駆動用集積回路は、前記第１の基板にＣＯＧ実装されている請求項１ないし５のいずれかに記載の表示装置。
【請求項７】
前記第１の基板において、前記中間層と同じ側の面に設けられた配線パターンと、前記中間層と反対側の面に設けられた配線パターンとは、前記第１の基板の縁部に沿って設けられた接続部材を介して接続されている請求項１ないし６のいずれかに記載の表示装置。
【請求項８】
前記接続部材は、可撓性配線基板または金属コネクタである請求項７に記載の表示装置。
【請求項９】
前記駆動用集積回路に所定の信号を入力するための入力用配線基板を有する請求項１ないし８のいずれかに記載の表示装置。
【請求項１０】
前記駆動用集積回路に所定の信号を入力するための入力用配線基板を有し、
前記入力用配線基板は、前記接続部材と一体的に形成されている請求項７または８に記載の表示装置。
【請求項１１】
前記入力用配線基板は、前記第１の基板の前記中間層と反対側において、前記表示パネルに重なるようにして設けられている請求項１ないし１０のいずれかに記載の表示装置。
【請求項１２】
前記入力用配線基板は、可撓性配線基板である請求項１ないし１１のいずれかに記載の表示装置。
【請求項１３】
請求項１ないし１２のいずれかに記載の表示装置を備えることを特徴とする電子機器。
【発明の詳細な説明】
【０００１】
【発明が属する技術分野】
本発明は、表示装置および電子機器に関するものである。
【０００２】
【従来の技術】
例えば携帯電話機、携帯電子端末機、パーソナルコンピュータ等の電子機器において、文字、数字、図形等の画像を表示するために液晶表示装置が広く用いられている。
液晶表示装置は、液晶パネルを備えており、この液晶パネルは、ドライバＩＣにより駆動され、所望の画像が表示される。
【０００３】
ところで、近年、各種電子機器の小型化に伴い、液晶パネルの表示領域以外の部分（以下、「額縁」と言う。）の面積を削減する試みがなされている（例えば、特許文献１参照。）。
この特許文献１に記載の液晶表示装置は、ドライバＩＣを実装した基板と、液晶パネルとを、ＦＰＣ（Ｆｌｅｘｉｂｌｅ  Ｐｒｉｎｔ  Ｃｉｒｃｕｉｔ）等の可撓性配線基板により接続し、ドライバＩＣを実装した基板を液晶パネルの背面（画像を視認するのと反対側）に配置する構成のものである。
【０００４】
しかしながら、このような液晶表示装置では、ドライバＩＣを実装した基板が液晶パネルの背面に配置されるため、その厚みが増大するという問題がある。また、製造コストや手間等を要するにもかかわらず、液晶パネルの額縁の小面積化が十分に図られているとは言い難い。
このように、液晶パネルの小型化（額縁の小面積化）と薄型化との双方を同時に満足するようなものが得られていないのが実情である。
【０００５】
【特許文献１】
特開２００１−１８３６８９号公報
【０００６】
【発明が解決しようとする課題】
本発明の目的は、小型かつ薄型の表示装置および電子機器を提供することにある。
【０００７】
【課題を解決するための手段】
このような目的は、下記の本発明により達成される。
本発明の表示装置は、互いに対向して配置された第１の基板と第２の基板と、これらの間に位置し、電気光学物質を含む中間層とを備える表示パネルと、
該表示パネルを駆動するための駆動用集積回路とを有し、
前記第２の基板の前記中間層と反対側から画像を視認する表示装置であって、
前記駆動用集積回路が、前記第１の基板の前記中間層と反対側の面に配線パターンを介して直接設けられていることを特徴とする。
これにより、小型かつ薄型の表示装置が得られる。
【０００８】
本発明の表示装置は、互いに対向して配置された第１の基板と第２の基板と、これらの間に位置し、電気光学物質を含む中間層とを備える表示パネルと、
該表示パネルを駆動するための複数の駆動用集積回路とを有し、
前記第２の基板の前記中間層と反対側から画像を視認する表示装置であって、
前記駆動用集積回路は、いずれも前記第１の基板に設けられ、かつ、そのうちの少なくとも１つが、前記第１の基板の前記中間層と反対側の面に配線パターンを介して直接設けられていることを特徴とする。
これにより、小型かつ薄型の表示装置が得られる。
【０００９】
本発明の表示装置では、前記第１の基板は、平面視で前記第２の基板の外形より外側へ張り出した張出領域を有することが好ましい。
【００１０】
本発明の表示装置では、前記第１の基板は、平面視で前記第２の基板の外形より外側へ張り出した張出領域を有し、
前記第１の基板の前記中間層と同じ側の面に設けられた駆動用集積回路は、前記張出領域に設けられていることが好ましい。
【００１１】
本発明の表示装置では、前記第１の基板の前記中間層と同じ側の面に設けられた駆動用集積回路と、前記第１の基板の前記中間層と反対側の面に設けられた駆動用集積回路とは、少なくとも一部が重なるようにして設けられていることが好ましい。
これにより、第１の基板に形成される配線パターン等の構成が複雑になるのを防止することができる。
【００１２】
本発明の表示装置では、前記駆動用集積回路は、前記第１の基板にＣＯＧ実装されていることが好ましい。
かかるＣＯＧ実装によれば、駆動用集積回路を、より容易かつ正確に、配線パターンに接続（接合）することができる。
【００１３】
本発明の表示装置では、前記第１の基板において、前記中間層と同じ側の面に設けられた配線パターンと、前記中間層と反対側の面に設けられた配線パターンとは、前記第１の基板の縁部に沿って設けられた接続部材を介して接続されていることが好ましい。
これにより、第１の基板の互いに異なる面に形成された配線パターンの接続をより容易かつ低コストで行うことができる。
【００１４】
本発明の表示装置では、前記接続部材は、可撓性配線基板または金属コネクタであることが好ましい。
これにより、接続部材を、第１の基板の縁部により接近または接触させることができ、表示パネルが大型化してしまうのを防止することができる。
【００１５】
本発明の表示装置では、前記駆動用集積回路に所定の信号を入力するための入力用配線基板を有することが好ましい。
【００１６】
本発明の表示装置では、前記駆動用集積回路に所定の信号を入力するための入力用配線基板を有し、
前記入力用配線基板は、前記接続部材と一体的に形成されていることが好ましい。
これにより、部品点数や製造コストの削減を図ることができるとともに、表示装置の小型化を図ることができる。
【００１７】
本発明の表示装置では、前記入力用配線基板は、前記第１の基板の前記中間層と反対側において、前記表示パネルに重なるようにして設けられていることが好ましい。
これにより、表示装置のさらなる小型化が図れる。
【００１８】
本発明の表示装置では、前記入力用配線基板は、可撓性配線基板であることが好ましい。
これにより、電子機器の表示装置を収納するスペースを小さく設定（設計）することができ、電子機器の小型化および薄型化に寄与することができる。
【００１９】
本発明の電子機器は、本発明の表示装置を備えることを特徴とする。
これにより、小型かつ薄型の電子機器が得られる。
【００２０】
【発明の実施の形態】
以下、本発明の表示装置および電子機器の好適実施形態に基づいて詳細に説明する。
本発明の表示装置を、アクティブマトリックス駆動方式の透過型液晶表示装置に適用した場合を一例として説明する。
【００２１】
＜第１実施形態＞
まず、透過型液晶表示装置の第１実施形態について説明する。
図１は、透過型液晶表示装置の第１実施形態を示す上面図、図２は、図１に示す透過型液晶表示装置が備える液晶パネルの分解斜視図、図３は、図１中Ａ−Ａ線断面図である。なお、各図では、図が煩雑となるのを避けるため一部の部材を省略している。また、以下の説明では、図１中〜図３中の上側を「上」、下側を「下」と言う。
【００２２】
各図に示す透過型液晶表示装置（以下、単に「液晶表示装置」と言う。）１は、液晶パネル（表示パネル）２と、液晶パネル２を駆動するための駆動用集積回路である信号用ドライバＩＣ３１、走査用ドライバＩＣ３２と、入力用配線基板４と、バックライト（光源手段）６とを有している。
この液晶表示装置１は、バックライト６からの光を液晶パネル２に透過させることにより画像（情報）を表示し得るものである。
【００２３】
液晶パネル２は、互いに対向して配置された第１の基板２２と第２の基板２３とを有し、これらの第１の基板２２と第２の基板２３との間には、表示領域を囲むようにしてシール材２１（図３参照）が設けられている。
そして、これらの第１の基板２２、第２の基板２３およびシール材２１により画成される空間には、電気光学物質である液晶が収納され、図２および図３に示すように、液晶層（中間層）２４が形成されている。すなわち、第１の基板２２と第２の基板２３との間に、液晶層２４が介挿されている。
【００２４】
第１の基板２２および第２の基板２３は、それぞれ、例えば、各種ガラス材料、各種樹脂材料等で構成されている。
第１の基板２２は、その上面（液晶層２４側の面）２２１に、マトリックス状（行列状）に配置された複数の画素電極２２３と、Ｘ方向に延在する信号電極２２４とが設けられ、１列分の画素電極２２３の各々が１本の信号電極２２４に、それぞれ、ＴＦＤ素子（スイッチング素子）２２２を介して接続されている。
【００２５】
画素電極２２３は、光を透過し得る導電性材料（透明導電性材料）、例えば、ＩＴＯ（インジウムティンオキサイド）、ＦＴＯ（フッ素ドープした酸化錫）、ＩＯ（酸化インジウム）、ＳｎＯ２（酸化錫）等で構成されている。
ＴＦＤ素子２２２は、信号電極２２４から引き出された引き出し部２２８上に、絶縁膜を介して金属層２２９が積層されて構成され、金属層２２９が画素電極２２３に接続されている。なお、このＴＦＤ素子２２２は、金属／絶縁体／金属のサンドイッチ構造を採るため、正負双方向のダイオードスイッチング特性を有することになる。
【００２６】
なお、スイッチング素子には、ＴＦＤ素子２２２に代わり、ＴＦＴ素子を用いることもでき、この場合、スイッチング素子は、正負双方向のトランジスタスイッチング特性を有することになる。
また、第１の基板２２の下面には、偏光板２２５が設けられている。
一方、第２の基板２３は、その下面（液晶層２４側の面）２３１に、複数の帯状をなす走査電極２３２が設けられている。これらの走査電極２３２は、信号電極２２４とほぼ直交するＹ方向に沿って、互いに所定間隔をおいてほぼ平行に配置され、かつ、画素電極２２３の対向電極となるように配列されている。
【００２７】
画素電極２２３と走査電極２３２とが重なる部分（この近傍の部分も含む）が１画素を構成し、これらの電極間で充放電を行うことにより、各画素毎に、液晶層２４の液晶が駆動、すなわち、液晶の配向状態が変化する。
走査電極２３２も、前記画素電極２２３と同様の材料、すなわち、光を透過し得る導電性材料（透明導電性材料）で構成されている。
【００２８】
各走査電極２３２の下面には、それぞれ、赤（Ｒ）、緑（Ｇ）、青（Ｂ）の有色層（カラーフィルター）２３３が設けられ、これらの各有色層２３３がブラックマトリックス２３４によって仕切られている。
ブラックマトリックス２３４は、遮光機能を有し、例えば、クロム、アルミニウム、アルミニウム合金、ニッケル、亜鉛、チタンのような金属、カーボン等を分散した樹脂等で構成されている。
【００２９】
また、第２の基板２３の上面には、前記偏光板２２５とは偏光軸が異なる偏光板２３５が設けられている。
このような構成の液晶パネル２では、バックライト６から発せられた光は、偏光板２２５で偏光された後、第１の基板２２および各画素電極２２３を介して、液晶層２４に入射する。液晶層２４に入射した光は、各画素毎に配向状態が制御された液晶により強度変調される。強度変調された各光は、有色層２３３、走査電極２３２および第２の基板２３を通過した後、偏光板２３５で偏光され、外部に出射する。これにより、液晶表示装置１では、第２の基板２３の液晶層２４と反対側から、例えば、文字、数字、図形等のカラー画像（動画および静止画の双方を含む）を視認することができる。
【００３０】
また、第１の基板２２は、図１に示すように、平面視で第２の基板２３の外形より外側（図１中、左側および下側）へ張り出した張出領域（額縁）２２Ａを有している。
この張出領域２２Ａの上面には、信号電極２２４および走査電極２３２に連続する配線パターン２５（図１中、左側および下側）が形成されている。また、張出領域２２Ａの下面には、配線パターン２６が形成されている。
【００３１】
そして、本実施形態では、張出領域２２Ａの上面には、信号用ドライバ（Ｘドライバ）ＩＣ３１が配線パターン２５の一部に接触するようにして設けられ、張出領域２２Ａの下面には、走査用ドライバ（Ｙドライバ）ＩＣ３２が配線パターン２６の一部に接触するようにして設けられている。換言すれば、張出領域２２Ａの上面には、信号用ドライバＩＣ３１が配線パターン２５を介して直接設けられ、張出領域２２Ａの下面には、走査用ドライバＩＣ３２が配線パターン２６を介して直接設けられている。
【００３２】
このような構成、特に、第１の基板２２の液晶層（中間層）２４と反対側の面に配線パターン２６を介して走査用ドライバＩＣ（駆動用集積回路）３２を直接設ける構成とすることにより、次のような利点がある。すなわち、従来の液晶表示装置のように、ドライバＩＣを実装した基板と液晶パネルとを可撓性配線基板により接続し、ドライバＩＣを実装した基板を液晶パネルの背面に配置する構成を採る液晶表示装置と比較して、格段に液晶表示装置１の薄型化を図ることができるということである。
【００３３】
これらの信号用ドライバＩＣ３１および走査用ドライバＩＣ３２は、それぞれ、信号電極２２４および走査電極２３２に供給すべき駆動信号を生成する機能を有するものである。信号用ドライバＩＣ３１および走査用ドライバＩＣ３２は、それぞれ、半導体チップで構成されている。
信号用ドライバＩＣ３１および走査用ドライバＩＣ３２の第１の基板２２への実装方法としては、特に限定されないが、それぞれ、ＣＯＧ（Ｃｈｉｐ  Ｏｎ  Ｇｌａｓｓ）実装によるのが好ましい。かかるＣＯＧ実装によれば、信号用ドライバＩＣ３１および走査用ドライバＩＣ３２を、より容易かつ正確に、配線パターン２５、２６に接続（接合）することができる。
【００３４】
また、複数のドライバＩＣのうちの少なくとも１つを、張出領域２２Ａの下面（第１の基板２２の液晶層２４と反対側の面）に設けることにより、張出領域２２Ａの上面に設けるドライバＩＣの数を削減することができる。このため、張出領域２２Ａの面積（本実施形態では、図１中左側の張出領域２２Ａの面積）を小さくすることができ、液晶パネル２の小面積化（延いては液晶表示装置１の小型化）を図ることができる。
【００３５】
また、信号用ドライバＩＣ３１と走査用ドライバＩＣ３２とは、それらの一部が重なるようにして第１の基板２２に設けられている。すなわち、複数のドライバＩＣが第１の基板２２の縁部（本実施形態では、張出領域２２Ａ）に集約されている。これにより、配線パターン２５、２６や、後述する接続部材５の構成（引き回し）が複雑となるのを防止することができる。
【００３６】
第１の基板２２の互いに異なる面に形成された配線パターン２５と配線パターン２６とは、図３に示すように、接続部材５を介して接続されている。この接続部材５は、ほぼＵ字状をなすように、第１の基板２２の縁部に沿って設けられている。このような構成により、第１の基板２２を貫通するスルーホールを形成して、配線パターン２５と配線パターン２６とを接続する方法に比べて、これらの接続をより容易かつ低コストで行うことができる。
【００３７】
接続部材５としては、可撓性配線基板または金属コネクタが好適に用いられる。接続部材５として可撓性配線基板または金属コネクタを用いることにより、接続部材５を、第１の基板２２の縁部により接近または接触させることができる。これにより、液晶パネル２が大型化（特に、面方向への大型化）してしまうのを防止することができる。
可撓性配線基板としては、例えば、ポリイミド等の樹脂からなる絶縁基材の表面に、銅等の導電性材料からなる配線パターンを形成したもの等を用いることができ、配線パターン２５、２６とは、例えば、異方性導電性材料（異方性導電性膜、異方性導電性ペースト）等を介して接続することができる。
【００３８】
一方、金属コネクタとしては、例えば銅、４２アロイ、燐青銅等を、板バネ形状や基板接続用コネクタの形状等に加工したもの等を用いることができ、配線パターン２５、２６とは、例えば、板バネの押圧力により物理的に接続すること等ができる。
また、配線パターン２６の接続部材５が接続された端部と反対側の端部には、入力用配線基板４の一端部が接続されている。
【００３９】
入力用配線基板４の他端部は、液晶表示装置１を後述するような電子機器に組み込んだ際に、電子機器が備える回路基板（例えば、電源用ＩＣ、制御用ＩＣ等が実装された基板）に接続される。
この入力用配線基板４を介して、電子機器側から信号用ドライバＩＣ３１および走査用ドライバＩＣ３２に、それぞれ、所定の信号（例えば、表示すべき画像を表す画像信号等）が入力される。
【００４０】
また、入力用配線基板４は、第１の基板２２の液晶層２４と反対側において、液晶パネル２に重なるようにして設けられている。入力用配線基板４は、液晶パネル２の側方に引き出すように設けることもできるが、液晶パネル２に重なるようにして設けることにより、液晶表示装置１のさらなる小型化が図れる。
この入力用配線基板４には、可撓性配線基板が好適に使用される。可撓性配線基板は、比較的容易に変形させることができる。このため、入力用配線基板４として可撓性配線基板を用いることにより、後述する電子機器の液晶表示装置１を収納するスペースを小さく設定（設計）することができ、電子機器の小型化および薄型化に寄与することができる。
【００４１】
この可撓性配線基板としては、前記接合部材で説明したのと同様のものを用いて、前記と同様にして配線パターン２６に接続することができる。
なお、配線パターン２６と入力用配線基板４との接続部（接合部）４１および走査用ドライバＩＣ３２は、液晶層２４と重ならない位置に設けられている。これにより、バックライト６からの光の液晶層２４への入射が阻止されるのを防止することができる。
【００４２】
＜第２実施形態＞
次に、本発明の表示装置を適用した透過型液晶表示装置の第２実施形態について説明する。
図４は、透過型液晶表示装置の第２実施形態を示す縦断面図である。なお、以下の説明では、図４中の上側を「上」、下側を「下」と言う。
【００４３】
以下、第２実施形態について、前記第１実施形態との相違点を中心に説明し、同様の事項については、その説明を省略する。
第２実施形態の液晶表示装置（透過型液晶表示装置）１では、信号用ドライバ（Ｘドライバ）ＩＣ３１と走査用ドライバ（Ｙドライバ）ＩＣ３２とが一体化されたドライバ（Ｘ−Ｙドライバ）ＩＣ３０が用いられ、それ以外は、前記第１実施形態と同様である。
【００４４】
すなわち、１つのドライバＩＣ３０が、ＣＯＧ実装により張出領域（額縁）２２Ａの下面に配線パターン２６の一部に接触するようにして設けられている。換言すれば、ドライバＩＣ３０が張出領域２２Ａの下面（第２の基板２２の液晶層２４と反対側の面）に配線パターン２６を介して直接設けられている。
このような構成により、第２実施形態では、配線パターン２５、２６の簡略化を図ることができるという利点がある。
【００４５】
また、第２実施形態では、張出領域２２Ａの上面にドライバＩＣを設けないので、張出領域２２Ａの上面にドライバＩＣを設けるスペースを省略することができ、張出領域２２Ａの大きさ（面積）をより小さくすることができる。具体的には、第１実施形態の張出領域２２Ａの大きさは、図３中長さＬ１を必要とするのに対し、第２実施形態の張出領域２２Ａの大きさは、長さＬ１より短い図４中長さＬ２とすることができる。
【００４６】
なお、第２実施形態においても、バックライト６からの光の液晶層２４への入射が阻止されるのを防止ために、配線パターン２６と入力用配線基板４との接続部（接合部）４１および走査用ドライバＩＣ３２は、液晶層２４と重ならない位置に設けられている。
このような第２実施形態においても、前記第１実施形態と同様の作用・効果が得られる。
【００４７】
＜第３実施形態＞
次に、本発明の表示装置を適用した透過型液晶表示装置の第３実施形態について説明する。
図５は、透過型液晶表示装置の第３実施形態を示す縦断面図である。なお、以下の説明では、図５中の上側を「上」、下側を「下」と言う。
【００４８】
以下、第３実施形態について、前記第１および第２実施形態との相違点を中心に説明し、同様の事項については、その説明を省略する。
第３実施形態の液晶表示装置（透過型液晶表示装置）１では、接続部材５と入力用配線基板４とが一体的に形成され、それ以外は、前記第２実施形態と同様である。
【００４９】
第３実施形態では、接続部材５と入力用配線基板４とを一体的に形成することにより、部品点数や製造コストの削減を図ることができる。
また、第３実施形態では、配線パターン２６と入力用配線基板４との接続部（接合部）４１を省略することができる。このため、図５に示すように、ドライバＩＣ３０を液晶パネル２のより内側（図５中、左側）に設けることにより、張出領域２２Ａの大きさ（面積）をより小さくすることができる。具体的には、第２実施形態の張出領域２２Ａの大きさは、図４中長さＬ２を必要とするのに対し、第３実施形態の張出領域２２Ａの大きさは、長さＬ２より短い図５中長さＬ３とすることができる。
【００５０】
なお、バックライト６からの光の液晶層２４への入射が阻止されるのを防止するために、ドライバＩＣ３０は、液晶層２４と重ならない位置に設けられている。
このような第３実施形態においても、前記第１および第２実施形態と同様の作用・効果が得られる。
なお、本発明では、以上説明した各実施形態における任意の２以上の構成を適宜組み合わせることもできる。
また、各前記実施形態の透過型液晶表示装置は、アクティブマトリックス駆動方式のものであったが、パッシブマトリックス駆動方式のものにも同様の構成を適用することができる。
【００５１】
また、各前記実施形態では、本発明の表示装置を透過型液晶表示装置に適用した場合を代表に説明したが、本発明の表示装置は、反射型液晶表示装置や、電気光学物質として有機または無機ＥＬ材料を用いたＥＬ表示装置、電気光学物質として電気泳動粒子を用いた電気泳動表示装置等に適用することもできる。これらの表示装置では、いずれも、表示パネルへの光の透過を必要としないことから、第１の基板の中間層と反対側の面においては、駆動用集積回路を中間層と重なるように設けること、すなわち、第１の基板の任意の位置に設けることが可能である。したがって、これらの表示装置では、駆動用集積回路の設置数にかかわらず、さらなる張出領域（額縁）の小面積化を図ることができる。
【００５２】
次に、前述したような液晶表示装置（電気光学装置）１を備える本発明の電子機器について、図６〜図８に示す実施形態に基づき、詳細に説明する。
図６は、本発明の電子機器を適用したモバイル型（またはノート型）のパーソナルコンピュータの構成を示す斜視図である。
この図において、パーソナルコンピュータ１１００は、キーボード１１０２を備えた本体部１１０４と、表示ユニット１１０６とにより構成され、表示ユニット１１０６は、本体部１１０４に対しヒンジ構造部を介して回動可能に支持されている。
このパーソナルコンピュータ１１００においては、表示ユニット１１０６が前述の液晶表示装置（電気光学装置）１を備えている。
【００５３】
図７は、本発明の電子機器を適用した携帯電話機（ＰＨＳも含む）の構成を示す斜視図である。
この図において、携帯電話機１２００は、複数の操作ボタン１２０２、受話口１２０４および送話口１２０６とともに、前述の液晶表示装置（電気光学装置）１を備えている。
【００５４】
図８は、本発明の電子機器を適用したディジタルスチルカメラの構成を示す斜視図である。なお、この図には、外部機器との接続についても簡易的に示されている。
ここで、通常のカメラは、被写体の光像により銀塩写真フィルムを感光するのに対し、ディジタルスチルカメラ１３００は、被写体の光像をＣＣＤ（Ｃｈａｒｇｅ  Ｃｏｕｐｌｅｄ  Ｄｅｖｉｃｅ）などの撮像素子により光電変換して撮像信号（画像信号）を生成する。
【００５５】
ディジタルスチルカメラ１３００におけるケース（ボディー）１３０２の背面には、前述の液晶表示装置１の表示部（液晶パネル２）が設けられ、ＣＣＤによる撮像信号に基づいて表示を行う構成になっており、液晶表示装置（電気光学装置）１は、被写体を電子画像として表示するファインダとして機能する。
ケースの内部には、回路基板１３０８が設置されている。この回路基板１３０８は、撮像信号を格納（記憶）し得るメモリが設置されている。
【００５６】
また、ケース１３０２の正面側（図８においては裏面側）には、光学レンズ（撮像光学系）やＣＣＤなどを含む受光ユニット１３０４が設けられている。
撮影者が液晶表示装置１に表示された被写体像を確認し、シャッタボタン１３０６を押下すると、その時点におけるＣＣＤの撮像信号が、回路基板１３０８のメモリに転送・格納される。
【００５７】
また、このディジタルスチルカメラ１３００においては、ケース１３０２の側面に、ビデオ信号出力端子１３１２と、データ通信用の入出力端子１３１４とが設けられている。そして、図８に示されるように、ビデオ信号出力端子１３１２にはテレビモニタ１４３０が、デ−タ通信用の入出力端子１３１４にはパーソナルコンピュータ１４４０が、それぞれ必要に応じて接続される。さらに、所定の操作により、回路基板１３０８のメモリに格納された撮像信号が、テレビモニタ１４３０や、パーソナルコンピュータ１４４０に出力される構成になっている。
【００５８】
なお、本発明の電子機器は、図６のパーソナルコンピュータ（モバイル型パーソナルコンピュータ）、図７の携帯電話、図８のディジタルスチルカメラの他にも、例えば、テレビや、ビデオカメラ、ビューファインダ型、モニタ直視型のビデオテープレコーダ、ラップトップ型パーソナルコンピュータ、カーナビゲーション装置、ページャ、電子手帳（通信機能付も含む）、電子辞書、電卓、電子ゲーム機器、ワードプロセッサ、ワークステーション、テレビ電話、防犯用テレビモニタ、電子双眼鏡、ＰＯＳ端末、タッチパネルを備えた機器（例えば金融機関のキャッシュディスペンサー、自動券売機）、医療機器（例えば電子体温計、血圧計、血糖計、心電表示装置、超音波診断装置、内視鏡用表示装置）、魚群探知機、各種測定機器、計器類（例えば、車両、航空機、船舶の計器類）、フライトシュミレータ、その他各種モニタ類、プロジェクター等の投射型表示装置などが挙げられる。そして、これらの各種電子機器の表示部、モニタ部として、前述した液晶表示装置（電気光学装置）１が適用可能なことは言うまでもない。
また、図６〜図８の電子機器を含み、各種電子機器の表示部、モニタ部には、液晶表示装置１に代わり、前述したような各種表示装置（反射型液晶表示装置、ＥＬ表示装置、電気泳動表示装置等）を適用可能であることも言うまでもない。
以上、本発明の表示装置および電子機器を図示の各実施形態に基づいて説明したが、本発明は、これらに限定されるものではなく、各部の構成は、同様の機能を発揮する任意の構成のものに置換することができ、また、任意の構成を付加することもできる。
【図面の簡単な説明】
【図１】透過型液晶表示装置の第１実施形態を示す上面図である。
【図２】図１に示す透過型液晶表示装置が備える液晶パネルの分解斜視図である。
【図３】図１中Ａ−Ａ線断面図である。
【図４】透過型液晶表示装置の第２実施形態を示す縦断面図である。
【図５】透過型液晶表示装置の第３実施形態を示す縦断面図である。
【図６】本発明の電子機器を適用したモバイル型（またはノート型）のパーソナルコンピュータの構成を示す斜視図である。
【図７】本発明の電子機器を適用した携帯電話機（ＰＨＳも含む）の構成を示す斜視図である。
【図８】本発明の電子機器を適用したディジタルスチルカメラの構成を示す斜視図である。
【符号の説明】
１‥‥液晶表示装置（透過型液晶表示装置）  ２‥‥液晶パネル  ２１‥‥シール材  ２２‥‥第１の基板  ２２Ａ‥‥張出領域  ２２１‥‥上面  ２２２‥‥ＴＦＤ素子  ２２３‥‥画素電極  ２２４‥‥信号電極  ２２５‥‥偏光板  ２２８‥‥引き出し部  ２２９‥‥金属層  ２３‥‥第２の基板  ２３１‥‥下面  ２３２‥‥走査電極  ２３３‥‥有色層  ２３４‥‥ブラックマトリックス２３５‥‥偏光板  ２４‥‥液晶層  ２５‥‥配線パターン  ２６‥‥配線パターン  ３０‥‥ドライバ（Ｘ−Ｙドライバ）ＩＣ  ３１‥‥信号用ドライバ（Ｘドライバ）ＩＣ  ３２‥‥走査用ドライバ（Ｙドライバ）ＩＣ  ４‥‥入力用配線基板  ４１‥‥接続部  ５‥‥接続部材  ６‥‥バックライト  １１００‥‥パーソナルコンピュータ  １１０２‥‥キーボード  １１０４‥‥本体部  １１０６‥‥表示ユニット  １２００‥‥携帯電話機  １２０２‥‥操作ボタン  １２０４‥‥受話口  １２０６‥‥送話口  １３００‥‥ディジタルスチルカメラ  １３０２‥‥ケース（ボディー）  １３０４‥‥受光ユニット  １３０６‥‥シャッタボタン  １３０８‥‥回路基板  １３１２‥‥ビデオ信号出力端子  １３１４‥‥データ通信用の入出力端子  １４３０‥‥テレビモニタ  １４４０‥‥パーソナルコンピュータ
【図１】
2004177713.tif 000003
【図２】
2004177713.tif 000004
【図３】
2004177713.tif 000005
【図４】
2004177713.tif 000006
【図５】
2004177713.tif 000007
【図６】
2004177713.tif 000008
【図７】
2004177713.tif 000009
【図８】
2004177713.tif 000010